(57)【要約】歯科材料を有するすぐに使える複数の押出しチップを保管し提示するための複数のオーガナイザ・ユニットを備える透明なプラスチック材料の歯科用椅子脇のオーガナイザであって、各オーガナイザ・ユニットが、（ａ）多数の押出しチップのための容量を有する大きく深い開口トレー（２）と、（ｂ）１個の押出しチップのための容量を有する小さく浅い開口トレー（４）とを備え、（ｃ）前記小さく浅い開口トレー（４）の底部（１４）が、前記大きく深い開口トレー（２）の底部（６）より高い位置に配置されており、（ｄ）前記小さく浅い開口トレー（４）および前記大きく深い開口トレーが、互いに隣接し、前記大きく深い開口トレー（２）と前記小さく浅い開口トレー（４）との間の分離隔壁として丸みのあるウェブ（２２）を有する、対をなすトレーを形成しており、（ｅ）前記小さく浅い開口トレー（４）が、前記オーガナイザ中の他の押出しチップと識別するために特有の方向または位置で、前記押出しチップを保持するように適合されており、（ｆ）前記大きく深い開口トレー（２）および前記小さく浅い開口トレー（４）が、（ｉ）前記大きく深い開口トレーを前記多数の押出しチップで容易に満たし、（ｉｉ）前記大きく深い開口トレー（２）から前記１個の押出しチップを、前記小さく浅い開口トレー（４）に容易に移動させ、（ｉｉｉ）前記小さく浅い開口トレー（４）から前記１個の押出しチップを容易に除去し、あるいはその中に前記１個の押出しチップを容易に再投入できるように構成されたオーガナイザ。
2008501386.tif 000002
【特許請求の範囲】
【請求項１】
歯科材料を有するすぐに使える複数の押出しチップを保管し提示するための複数のオーガナイザ・ユニットを備える透明なプラスチック材料の歯科用椅子脇のオーガナイザであって、各オーガナイザ・ユニットが、
（ａ）多数の押出しチップのための容量を有する大きく深い開口トレー（２）と、
（ｂ）１個の押出しチップのための容量を有する小さく浅い開口トレー（４）とを備え、
（ｃ）前記小さく浅い開口トレー（４）の底部（１４）が、前記大きく深い開口トレー（２）の底部（６）より高い位置に配置されており、
（ｄ）前記小さく浅い開口トレー（４）および前記大きく深い開口トレーが、互いに隣接し、前記大きく深い開口トレー（２）と前記小さく浅い開口トレー（４）との間の分離隔壁として丸みのあるウェブ（２２）を有する、対をなすトレーを形成しており、
（ｅ）前記小さく浅い開口トレー（４）が、前記オーガナイザ中の他の押出しチップと識別するために特有の方向または位置で、前記押出しチップを保持するように適合されており、
（ｆ）前記大きく深い開口トレー（２）および前記小さく浅い開口トレー（４）が、
（ｉ）前記大きく深い開口トレーを前記多数の押出しチップで容易に満たし、
（ｉｉ）前記大きく深い開口トレー（２）から前記１個の押出しチップを、前記小さく浅い開口トレー（４）に容易に移動させ、
（ｉｉｉ）前記小さく浅い開口トレー（４）から前記１個の押出しチップを容易に除去し、あるいはその中に前記１個の押出しチップを容易に再投入できるように構成されたオーガナイザ。
【請求項２】
前記大きく深い開口トレー（２）と前記小さく浅い開口トレー（４）との間の分離隔壁が、前記小さく浅い開口トレー（４）から容器を手動で容易に除去するための凹部を有する、請求項１に記載のオーガナイザ。
【請求項３】
前記大きな開口トレー（２）および前記小さな開口トレー（４）の幅が、前記押出しチップに対応する長さである、請求項１または２に記載のオーガナイザ。
【請求項４】
椅子脇の引出し用インサートである、請求項１乃至３のいずれか１項に記載のオーガナイザ。
【発明の詳細な説明】
【技術分野】
【０００１】
本発明は、歯科材料を有するすぐに使える複数の押出しチップを保管し提示するための複数のオーガナイザ・ユニットを備える、透明プラスチック材料の歯科用椅子脇のオーガナイザに関する。
【背景技術】
【０００２】
国際公開第９８／１１８４５号、英国特許第３８０４０７号、独国実用新案第９３１１９２４Ｕ号、米国特許第５７４９７３０号は、歯科用混合ブロックを開示する。
【０００３】
歯科材料、例えば、歯科充填材料は、通常、患者の治療中に歯科医により使用される。それらは、アンプル、カートリッジ、押出しチップなどの小容器に少量詰められることが多い。以下では、用語「チップ（ｔｉｐ）」は、このような任意の小さな歯科材料容器を示すものとする。チップは、塗布具（ａｐｐｌｉｃａｔｏｒ  ｉｎｓｔｒｕｍｅｎｔ）中に容易に挿入されるように設計されている。このような歯科材料は、色調（ｓｈａｄｅｓ）など、異なる特性を有する歯科材料タイプの一群として販売されている。歯医者が簡単に特定の歯科材料タイプを有する所望の容器の位置を突き止め、取り上げることができる必要がある。したがって、異なる歯科材料のタイプは、別々に保管されることが重要である。
【０００４】
歯科材料容器は、典型的には、
（ａ）材料の異なるタイプ（例えば、色調）の３と３０個の間のチップを有する導入（ｉｎｔｒｏｄｕｃｔｏｒｙ）キット、または
（ｂ）１つのタイプの材料でより多い数（例えば、３から３０個）のチップを備える再充填パッケージの形で市販される。
【０００５】
口腔外科環境では、再充填パッケージは、通常、保管室またはキャビネット中で、制御された条件下で保管される。次の数回の治療セッション内で使用するために、チップの各タイプ中からいくつかの数量を椅子脇に置く。そのため、チップの製造者は、例えば、様々なチップのために別々の仕切り部を有した、椅子脇キャビネットのための標準の引出し用インサートであるオーガナイザを提供する。次の数回の治療セッションの前に、歯科看護師は、十分な数のチップが椅子脇に揃っているかを確認する。それは、空になった仕切り部が新しいチップで満たされることを意味する。この歯科外科環境における実際の運用において、些細なことに見えるが極めて困難な問題が表面化してきている。
【０００６】
経験を積んだ看護師は、続く数回の治療セッションで消費されることが予測されるチップ数で仕切り部を満たす。しかし、様々なタイプのチップが、様々な割合で消費される。したがって、歯科看護師は、各治療セッションの前に仕切り部を確認する必要がある。仕切り部の１つが全く空になってしまった場合は、再度、チップを満たす必要がある。それは問題を生ずることはない。しかし、新しい治療セッション前の確認で、仕切り部には、空ではないが、次のセッションを続けられそうにない、実際は１個である場合が多いが、数個のチップが残っていると分かることが時々ある。歯科看護師がその仕切り部を追加のチップで満たしたとき、残されたチップが新しいチップと混ざった状態になる。次のセッション中では、仕切り部にあるチップ（残されたチップおよび新しいチップ）はすべて使用可能であり、また残されたチップもすぐに使用されるだろうという高い期待があるので、直感的には、それが問題になるとは考えられていなかった。しかし、実際には、無視できない頻度で、残されたチップが新しく満たされたチップの下になってしまい、したがって、次のセッションで使用されないことが分かってきた。制御されない状態下では数回のセッションで使用されることがあり、いくつかの場合には週末を間に挟んで使用されない可能性もある。その状態は、異なるバッチからのチップを混在させる頻度がかなり高いこともさらに分かってきた。それは、新しく追加されたチップが残されたチップよりも早く使用される危険を有する。後で使用された場合、残されたチップは、もはや最適なまたは期待された塗布（ａｐｐｌｉｃａｔｉｏｎ）挙動もしくは物理特性を提供することができない。このような予想外のことは、その発生する頻度が少ない場合であっても、または頻度が少ないにしても、歯科外科状態において、非常に困った問題であることが明らかになった。それは、治療におけるミスの危険を高め、または治療の制御を欠くことになる。歯科外科環境では、この不測の事態は受け入れられないものである。
【特許文献１】国際公開第９８／１１８４５号
【特許文献２】英国特許第３８０４０７号
【特許文献３】独国実用新案第９３１１９２４Ｕ号
【特許文献４】米国特許第５７４９７３０号
【発明の開示】
【発明が解決しようとする課題】
【０００７】
したがって、同一の歯科材料を有するすぐに使える複数の容器を保管し、また提示し、それにより、異なる使用状況の容器間で混ざることを確実に阻止できる歯科用椅子脇のオーガナイザを提供することが本発明の課題である。
【課題を解決するための手段】
【０００８】
同じ歯科材料を有するすぐに使える複数の容器を保管し提示するためのオーガナイザ・ユニットを備える歯科用椅子脇のオーガナイザであって、そのオーガナイザ・ユニットが、
（ａ）多数の前記容器のための容量を有する仕切り部（２）と、
（ｂ）前記仕切り部中の容器とは異なった方法で、少数の前記容器を保持するように適合された供給部（４）とを有し、
前記仕切り部（２）および前記供給部（４）が、
（ｉ）前記多数の前記容器で前記仕切り部を容易に満たし、
（ｉｉ）前記少数の容器を前記仕切り部から前記供給部に容易に移動させ、
（ｉｉｉ）前記供給部から前記少数の容器の１個ずつを容易に除去し、あるいは前記供給部中に容易に再投入するように構成されたオーガナイザにより、その課題は解決される。
【０００９】
前記供給部は、１個の容器を保持するように適合されることが好ましい。その供給部は小さな開口トレーである。さらに、オーガナイザの仕切り部は、大きな開口トレーとすることができる。小さな開口トレーおよび大きな開口トレーは、互いに隣接しており、対をなすトレーを形成することができる。前記小さな開口トレーから容器を容易に手動で除去するための凹部を有する分離隔壁を、大きな開口トレーと小さな開口トレーの間に設けることができる。大きな開口トレーは深いトレーであり、小さな開口トレーは浅いトレーであることが好ましい。前記大きな開口トレーおよび小さな開口トレーの幅は、容器に対応する長さであることが好ましい。供給部は、オーガナイザ中の他の容器と識別するために、特有の方向または位置で、１個または２個の容器を保持するように適合されることが好ましい。オーガナイザは、椅子脇の引出し用インサートとすることができる。容器は、単一使用または複数使用のための小カートリッジとすることもできる。オーガナイザは、複数の前記オーガナイザ・ユニットを含むことができる。オーガナイザは、透明または半透明であり得るプラスチック材料から作成することができる。
次に、図面を参照して本発明を説明する。
【発明を実施するための最良の形態】
【００１０】
図１によるオーガナイザ・ユニットは、多数の押出しチップを受け入れるための大きな開口トレー（２）、および１個の押出チップを受け入れるための小さな開口トレー（４）を備える。大きな開口トレーは、底部（６）、２つの側壁（８）、前壁（１０）、および後壁（１２）によって画定される。小さな開口トレーは、底部（１４）、２つの側壁（１６）、前壁（１８）、および後壁（２０）によって画定される。トレーは共に、以下のように、単一の対をなす構造として形成される。大トレー（２）の側壁（８）と、小トレー（４）の側壁（１６）は、互いに連続している。
【００１１】
大トレー（２）の後壁（１２）と、小トレー（４）の前壁（１８）は、その上端部で湾曲したウェブ（２２）により互いに接続されている。したがって、大トレー（２）の後壁（１２）、小トレー（４）の前壁、およびウェブ（２２）は、大トレー（２）と小トレー（４）の間に分離隔壁を形成する。
【００１２】
小トレーは、単一の押出しチップを収容するのに十分な大きさである。小トレー（４）から押出しチップを取り去ることは、長方形または湾曲した、例えば、本質的に半円形などとすることができる隔壁中の凹部（２４）により容易に行うことができる。それは、指とチップの間の接触が容易なように（サイズと形状に関して）適合される。小トレー（４）の底部（１４）は、大トレー（２）の底部（６）より高い位置に存在しており、それにより、小トレー中のチップの操作が容易になる。したがって、大トレー（２）は深く、小トレー（４）は浅い。トレーの開口部は共に、同じ高さであることが好ましい。大トレーは、好ましくは２から９個のチップを、より好ましくは４から８個のチップを受け入れるのに十分な大きさである。
【００１３】
側壁（８）相互間の距離、および側壁（１６）相互間の距離は、整列して配置するために、また投入／除去が容易なように、チップに対応する長さとすることができる。大トレー（２）の前壁（１０）および後壁（１２）は、チップの挿入および除去を容易にするためにわずかに傾斜させることができる。大トレー（２）の後壁（１２）の上端を、小トレーの前壁（１８）の上端と接続している丸みのあるウェブ（２２）はまた、１本の指を動かすことにより、大トレーから小トレーにチップを１個だけ容易に移動させることができる。そのために、丸みのあるウェブ（２２）の高さは、壁（８、１０、１６、２０）の上端より低くすることができる。
【００１４】
いくつかのオーガナイザ・ユニットは、オーガナイザ中の他の保管トレーと共に、椅子脇キャビネットの引出し用インサートの形で一体化することができる。
【００１５】
容器は、カートリッジ、アンプル、または塗布具に取り付けられるチップとすることができる。それらは１回限りの使用として設計されるのが普通である。特別な場合、容器はまた、複数回、断続的な使用のために設計することもできる。その場合、使用済み容器は、再度使用するために小トレー（または供給部）中に置くことができる。
【図面の簡単な説明】
【００１６】
【図１】対をなすトレーとして事前成形された、本発明のオーガナイザ・ユニットの実施形態の正面図である。
【図２】線ＩＩ−ＩＩＩに沿った横断面図である。
【図３】線ＩＩＩ−ＩＩＩに沿った横断面図である。
【図１】
2008501386.tif 000003
【図２】
2008501386.tif 000004
【図３】
2008501386.tif 000005
【国際調査報告】
2008501386.tif 000006
2008501386.tif 000007